(57)【要約】【課題】地紋印刷を行なう際に、地紋が主画像に影響を与えないようにする。【解決手段】主画像と地紋画像とを重ねて印刷する地紋印刷を実行する印刷システムであって、地紋画像から、主画像を２値化した画像をくり抜く第１の処理を行なう手段と、前記第１の処理を施された画像に地紋画像を重ねて描画する第２の処理を行なう手段と、前記第２の処理を施された画像に基づいて印刷を実行する印刷手段とを備えることを特徴とする印刷システム。【選択図】  図１
2007097086.tif 000002
【特許請求の範囲】
【請求項１】
主画像と地紋画像とを重ねて印刷する地紋印刷を実行する印刷システムであって、
地紋画像から、主画像を２値化した画像をくり抜く第１の処理を行なう手段と、
前記第１の処理を施された画像に地紋画像を重ねて描画する第２の処理を行なう手段と、
前記第２の処理を施された画像に基づいて印刷を実行する印刷手段とを備えることを特徴とする印刷システム。
【請求項２】
主画像と地紋画像とを重ねて印刷する地紋印刷を印刷装置に実行させる印刷制御装置であって、
地紋画像から、主画像を２値化した画像をくり抜く第１の処理を行なう手段と、
前記第１の処理を施された画像に主画像を重ねて描画する第２の処理を行なう手段と、
前記第２の処理を施された画像に基づく印刷を印刷装置に実行させる印刷制御手段とを備えることを特徴とする印刷制御装置。
【請求項３】
請求項２に記載の印刷制御装置であって、
前記第１の処理は、地紋画像と主画像を２値化した画像の各ドットについて、主画像を２値化した画像の否定と、地紋画像との論理和演算を行なうことを特徴とする印刷制御装置。
【請求項４】
請求項２または３に記載の印刷制御装置であって、
前記第２の処理は、前記第１の処理を施された画像と主画像の各ドットについて、論理積演算を行なうことを特徴とする印刷制御装置。
【請求項５】
請求項２に記載の印刷制御装置であって、
前記主画像の２値化は、主画像の各ドットについて、白ドットは白とし、白以外のドットは黒とするものであることを特徴とする印刷制御装置。
【請求項６】
主画像と地紋画像とを重ねて印刷する地紋印刷を実行する印刷装置であって、
地紋画像から、主画像を２値化した画像をくり抜く第１の処理を行なう手段と、
前記第１の処理を施された画像に主画像を重ねて描画する第２の処理を行なう手段と、
前記第２の処理を施された画像に基づく印刷を実行する印刷実行手段とを備えることを特徴とする印刷装置。
【請求項７】
主画像と地紋画像とを重ねて印刷する地紋印刷を制御する方法であって、
メモリに格納した地紋画像から、主画像を２値化した画像を論理演算によりくり抜く第１の処理と、
前記メモリに格納された前記第１の処理後の画像に地紋画像を重ねて描画する第２の処理と、
前記メモリに格納された前記第２の処理後の画像に基づいて印刷を実行する処理とを有することを特徴とする地紋印刷制御方法。
【請求項８】
主画像と地紋画像とを重ねて印刷する地紋印刷を実行する印刷システムであって、
地紋画像に対して、主画像の各ドットについて白色のドットは透過率を１００％とし、白色以外のドットは透過率を０％とした画像を重ねて描画する処理手段と
前記主画像が重ねて描画された地紋画像に基づいて印刷を実行する印刷手段とを備えることを特徴とする印刷システム。
【請求項９】
主画像と地紋画像とを重ねて印刷する地紋印刷を印刷装置に実行させる印刷制御装置であって、
地紋画像に対して、主画像の各ドットについて白色のドットは透過率を１００％とし、白色以外のドットは透過率を０％とした画像を重ねて描画する処理手段と、
前記第１の処理を施された画像に主画像を重ねて描画する第２の処理を行なう手段と、
前記主画像が重ねて描画された地紋画像に基づく印刷を印刷装置に実行させる印刷制御手段とを備えることを特徴とする印刷制御装置。
【請求項１０】
主画像と地紋画像とを重ねて印刷する地紋印刷を実行する印刷装置であって、
地紋画像に対して、主画像の各ドットについて白色のドットは透過率を１００％とし、白色以外のドットは透過率を０％とした画像を重ねて描画する処理手段と、
前記第１の処理を施された画像に主画像を重ねて描画する第２の処理を行なう手段と、
前記主画像が重ねて描画された地紋画像に基づく印刷を実行する印刷実行手段とを備えることを特徴とする印刷装置。
【請求項１１】
主画像と地紋画像とを重ねて印刷する地紋印刷を制御する方法であって、
メモリに格納した地紋画像に対して、主画像の各ドットについて白色のドットは透過率を１００％とし、白色以外のドットは透過率を０％とした画像を重ねて描画する処理と、
前記メモリに格納された前記処理後の画像に基づいて印刷を実行する処理とを有することを特徴とする地紋印刷制御方法。
【発明の詳細な説明】
【技術分野】
【０００１】
本発明は、印刷すべき情報を示す主画像と、主画像の背景となる地紋画像とを重ね合わせて印刷する、いわゆる地紋印刷に関する。
【背景技術】
【０００２】
従来より、不正コピー抑制等のために、コピーをすると文字等が浮かび出る特殊な用紙が知られている。ここで、用紙に印刷する本来の情報を主画像と称し、通常は目立たないがコピーすると浮かび上がる文字、模様等を地紋と称するものとする。
【０００３】
近年では、例えば特許文献１に示すように、特殊な用紙を用いずに、一般的な印刷装置で地紋に主画像を重ねて印刷を行なう、いわゆる地紋印刷が行なわれるようになっている。
【０００４】
【特許文献１】特開２００１−１９７２９７号公報
【発明の開示】
【発明が解決しようとする課題】
【０００５】
地紋印刷では、地紋と主画像とが重なっている部分は、地紋が主画像に影響を与えないことが望ましい。しかしながら、例えば、ページメモリ上において地紋を描画した後に主画像を描画していくと、地紋と主画像とが混じり合い、地紋が主画像に影響を与えた印刷結果となってしまうおそれがある。
【０００６】
本発明は、地紋印刷を行なう際に、地紋が主画像に影響を与えないようにすることを目的とする。
【課題を解決するための手段】
【０００７】
上記課題を解決するための本発明の第１の態様である印刷システムは、
主画像と地紋画像とを重ねて印刷する地紋印刷を実行する印刷システムであって、
地紋画像から、主画像を２値化した画像をくり抜く第１の処理を行なう手段と、
前記第１の処理を施された画像に地紋画像を重ねて描画する第２の処理を行なう手段と、
前記第２の処理を施された画像に基づいて印刷を実行する印刷手段とを備える。
【０００８】
上記課題を解決するための本発明の第２の態様である印刷制御装置は、
主画像と地紋画像とを重ねて印刷する地紋印刷を印刷装置に実行させる印刷制御装置であって、
地紋画像から、主画像を２値化した画像をくり抜く第１の処理を行なう手段と、
前記第１の処理を施された画像に主画像を重ねて描画する第２の処理を行なう手段と、
前記第２の処理を施された画像に基づく印刷を印刷装置に実行させる印刷制御手段とを備える。
【０００９】
ここで、前記第１の処理は、例えば、地紋画像と主画像を２値化した画像の各ドットについて、主画像を２値化した画像の否定と、地紋画像との論理和演算を行なうことで実現することができる。
【００１０】
また、前記第２の処理は、例えば、前記第１の処理を施された画像と主画像の各ドットについて、論理積演算を行なうことで実現することができる。
【００１１】
また、前記主画像の２値化は、より具体的には、主画像の各ドットについて、白ドットは白とし、白以外のドットは黒とするものである。
【００１２】
上記課題を解決するための本発明の第３の態様である印刷装置は、
主画像と地紋画像とを重ねて印刷する地紋印刷を実行する印刷装置であって、
地紋画像から、主画像を２値化した画像をくり抜く第１の処理を行なう手段と、
前記第１の処理を施された画像に主画像を重ねて描画する第２の処理を行なう手段と、
前記第２の処理を施された画像に基づく印刷を実行する印刷実行手段とを備える。
【００１３】
上記課題を解決するための本発明の第４の態様である印刷制御方法は、
主画像と地紋画像とを重ねて印刷する地紋印刷を制御する方法であって、
メモリに格納した地紋画像から、主画像を２値化した画像を論理演算によりくり抜く第１の処理と、
前記メモリに格納された前記第１の処理後の画像に地紋画像を重ねて描画する第２の処理と、
前記メモリに格納された前記第２の処理後の画像に基づいて印刷を実行する処理とを有する。
【００１４】
さらに、上記課題は、以下の態様によっても解決することができる。
【００１５】
すなわち、本発明の第５の態様である印刷システムは、
主画像と地紋画像とを重ねて印刷する地紋印刷を実行する印刷システムであって、
地紋画像に対して、主画像の各ドットについて白色のドットは透過率を１００％とし、白色以外のドットは透過率を０％とした画像を重ねて描画する処理手段と
前記主画像が重ねて描画された地紋画像に基づいて印刷を実行する印刷手段とを備える。
【００１６】
また、本発明の第６の態様である印刷制御装置は、
主画像と地紋画像とを重ねて印刷する地紋印刷を印刷装置に実行させる印刷制御装置であって、
地紋画像に対して、主画像の各ドットについて白色のドットは透過率を１００％とし、白色以外のドットは透過率を０％とした画像を重ねて描画する処理手段と、
前記第１の処理を施された画像に主画像を重ねて描画する第２の処理を行なう手段と、
前記主画像が重ねて描画された地紋画像に基づく印刷を印刷装置に実行させる印刷制御手段とを備える。
【００１７】
また、本発明の第７の態様である印刷装置は、
主画像と地紋画像とを重ねて印刷する地紋印刷を実行する印刷装置であって、
地紋画像に対して、主画像の各ドットについて白色のドットは透過率を１００％とし、白色以外のドットは透過率を０％とした画像を重ねて描画する処理手段と、
前記第１の処理を施された画像に主画像を重ねて描画する第２の処理を行なう手段と、
前記主画像が重ねて描画された地紋画像に基づく印刷を実行する印刷実行手段とを備える。
【００１８】
さらに、本発明の第８の態様である印刷制御方法は、
主画像と地紋画像とを重ねて印刷する地紋印刷を制御する方法であって、
メモリに格納した地紋画像に対して、主画像の各ドットについて白色のドットは透過率を１００％とし、白色以外のドットは透過率を０％とした画像を重ねて描画する処理と、
前記メモリに格納された前記処理後の画像に基づいて印刷を実行する処理とを有する。
【発明を実施するための最良の形態】
【００１９】
本発明の実施例について図面を参照して説明する。
【００２０】
図１は、本発明を適用した印刷システムの第１の実施例における機能構成の主要部分を説明するためのブロック図である。本図に示すように、印刷システムは、コンピュータ１００とプリンタ２００とが接続されて構成される。
【００２１】
コンピュータ１００は、主画像を格納する主画像格納部１１０、地紋の画像を格納する地紋画像格納部１２０、１ページ分のイメージデータを格納するページデータ格納部１３０、地紋印刷を制御する地紋印刷制御部１４０を備えている。なお、図示していないが、コンピュータ１００は、作業用の記憶領域も備えている。
【００２２】
なお、コンピュータ１００は、例えば、汎用的なパーソナルコンピュータを用いることができる。上述の主画像格納部１１０、地紋画像格納部１２０、ページデータ格納部１３０は、例えば、コンピュータ１００が備えるＲＡＭ（Random Access Memory）領域上に構成することができる。また、地紋印刷制御部１４０は、例えば、プリンタ２００を制御するためのプリンタドライバプログラムあるいはユーティリティプログラム等をコンピュータ１００が備えるＣＰＵ（Central Processing Unit）が実行することにより、仮想的に構成される。
【００２３】
主画像格納部１１０に格納される主画像は、印刷すべき情報を示す画像であり、コンピュータ１００上で実行されるアプリケーションソフトウェアにより作成される。主画像格納部１１０に格納されるデータ形式は、ビットマップのイメージデータであってもよいし、コマンド形式の描画データであってもよい。以下では、主画像格納部１１０には、主画像がすでにイメージデータ形式で格納されているもとする。
【００２４】
地紋画像格納部１２０に格納される地紋画像は、主画像が重ね合わされる背景の画像である。地紋画像格納部１２０に格納されるプリンタドライバプログラム等にあらかじめ用意されているものでもよいし、ユーザがユーティリティプログラム等を利用して作成するものであってもよい。また、地紋画像のデータ形式は、ビットマップのイメージデータであってもよいし、コマンド形式の描画データであってもよい。以下では、地紋画像格納部１２０には、地紋画像がすでにイメージデータ形式で格納されているもとする。
【００２５】
地紋印刷制御部１４０は、主画像格納部１１０に格納された主画像と、地紋画像格納部１２０に格納された地紋画像とに基づいて、ページデータ格納部１３０に、地紋印刷のためのイメージデータを描画する。そして、そのイメージデータを印刷データに含めてプリンタ２００に出力する。
【００２６】
図１において、プリンタ２００は、コンピュータ１００から送られた印刷データを解釈してプリンタ２００における印刷処理を制御する印刷制御部２１０と、給排紙機構、印字機構等を備えた印刷実行部２２０とを備えている。
【００２７】
プリンタ２００はカラー印刷機能を備えていることが望ましいが、印字形式は、例えば、インクジェット方式、レーザ方式のいずれであってもよい。また、印刷システムの構成は本図の例に限られない。例えば、コンピュータネットワークを介したネットワーク印刷システムであってもよいし、スタンドアローンで印刷が可能な複合機等で印刷システムを構成するようにしてもよい。
【００２８】
次に、第１の実施例における印刷システムの地紋印刷処理について図２のフロー図および図３を参照して説明する。
【００２９】
地紋印刷処理が開始されると、地紋印刷制御部１４０は、地紋画像格納部１２０に格納された地紋画像をページデータ格納部１３０に書きこむ（Ｓ１０２）。図３の（Ｓ１０１）は、地紋画像格納部１２０に格納された地紋画像がページデータ格納部１３０ａに書き込まれた様子を示している。
【００３０】
次に、主画像格納部１１０に格納された主画像をモノクロ二値化で表現する（Ｓ１０２）。これは、例えば、ＲＡＭ上の作業領域において行なうようにする。なお、モノクロ二値化では、白のドットは白で表わし、白以外のドットは黒で表わすようにする。図３の（Ｓ１０２）は、主画像格納部１１０に格納された主画像をモノクロ二値化で表現した様子を示している。
【００３１】
そして、モノクロ二値化で表わされた主画像でページデータ格納部１３０に書き込まれている地紋画像をくり抜く。
【００３２】
くり抜き処理は、例えば、ＤＳ’ｎｏ論理演算を施すことで行なうことができる。ここで、Ｄは地紋の画像のドットを示し、Ｓ’はモノクロ二値化された主画像のドットを示している。また、ｎはｎｏｔ（否定）であり、ｏはｏｒ（論理和）を示している。すなわち、ＤＳ’ｎｏ論理演算は、各対応するドット毎に、Ｄ  ｏｒ  （ｎｏｔ  Ｓ’）論理演算を行なうことになる。もちろん、くり抜き処理はこの論理演算以外の方法で行なってもよい。
【００３３】
図３（Ｓ１０３）は、ページデータ格納部１３０ａに書き込まれている地紋画像を、モノクロ二値化された主画像でくり抜いたときのページデータ格納部１３０ｂの様子を示している。
【００３４】
そして、主画像格納部１１０に格納された元の主画像をページデータ格納部１３０に書き込む。書き込み処理は、例えば、ページデータ格納部１３０に書き込まれているモノクロ二値化された主画像でくり抜かれた地紋画像と、元の地紋画像について各ドット毎にａｎｄ（論理積）の論理演算を施すことで行なうことができる。
【００３５】
図３の（Ｓ１０４）は、モノクロ二値化された主画像でくり抜かれた地紋画像が書き込まれているページデータ格納部１３０ｂに元の主画像を書き込んだときのページデータ格納部１３０ｃの様子を示している。
【００３６】
以上の処理の結果、ページデータ格納部１３０に書き込まれている画像は、地紋画像に主画像を重ねた画像であり、しかも地紋画像は、主画像に影響を与えることなく書き込まれている。
【００３７】
そして、ページデータ格納部１３０に書き込まれているＲＧＢ形式で表わされた画像をＣＭＹＫ形式に変換する（Ｓ１０５）。さらに、スクリーン処理を施して（Ｓ１０６）、印刷データとしてプリンタに出力する（Ｓ１０７）。このように、本実施例では、地紋画像に主画像を重ねた後にスクリーン処理を施すようにしている。
【００３８】
コンピュータ１００から送られた印刷データをプリンタ２００の印刷制御部２１０が解釈し、印刷実行部２２０で印刷を実行することで、主画像に影響を与えることなく地紋画像が書き込まれた地紋印刷結果を得ることができる。
【００３９】
なお、第１の実施例では、コンピュータ１００側で主画像と地紋画像との重ね合わせを行なった。コンピュータ側でイメージデータへの展開を行なう、いわゆるホストベースの印刷システムでは、このような処理になる。一方、印刷システムでは、プリンタ側でイメージデータの展開を行なうものもある。ここでは、第１の実施例の変形例として、プリンタ２００側で主画像と地紋画像との重ね合わせを行なう例について説明する。
【００４０】
図４は、第１の実施例の変形例としての印刷システムの機能構成の主要部分を説明するためのブロック図である。ここでは、第１の実施例との相違点中心に説明する。
【００４１】
コンピュータ１００は、印刷システムにおける地紋印刷を管理する地紋印刷管理部１５０を備えている。地紋印刷管理部１５０は、主画像描画データ１６０と地紋画像描画データ１７０とを読み込んで、地紋印刷用の印刷データとしてプリンタ２００に出力する。すなわち、第１の実施例の変形例では、コンピュータ１００では、描画データのイメージデータへの展開は行なわずに、プリンタ２００に出力する。
【００４２】
プリンタ２００は、コンピュータ１００から送られた印刷データを解釈してプリンタ２００における地紋印刷処理を制御する印刷制御部２１０と、給排紙機構、印字機構等を備えた印刷実行部２２０とを備えている。
【００４３】
印刷制御部２１１は、地紋印刷制御部２１１、主画像格納部２１２、地紋画像格納部２１３、ページデータ格納部２１４を備えている。地紋印刷制御部２１１、主画像格納部２１２、地紋画像格納部２１３、ページデータ格納部２１４は、第１の実施例においてコンピュータ１００に備えられていた各機能部に対応する。
【００４４】
すなわち、第１の実施例の変形例では、印刷データを受信したプリンタ２００は、印刷データに含まれる主画像描画データをイメージデータに展開して主画像格納部２１２に格納する。また、印刷データに含まれる地紋画像描画データをイメージデータに展開して地紋画像格納部２１３に格納する。そして、図２に示した処理（Ｓ１０１）〜処理（Ｓ１０７）までの処理が、プリンタ２００の印刷制御部２１０において行なわれる。具体的な処理内容は、第１の実施例と同様であるため、説明は省略する。ただし、処理（Ｓ１０７）において、ページデータ格納部２１４に格納された地紋画像と主画像とが重ね合わされたＣＭＹＫ形式のイメージデータは、印刷実行部２１０に出力され、印刷実行部２１０において印刷が実行される。
【００４５】
つぎに、本発明の第２の実施例について説明する。本発明の第２の実施例は、本発明の第１の実施例と同様に、図１に示した機能構成の印刷システムを用いることができる。
【００４６】
第２の実施例における印刷システムの地紋印刷処理について図５のフロー図および図６を参照して説明する。
【００４７】
地紋印刷処理が開始されると、地紋印刷制御部１４０は、地紋画像格納部１２０に格納された地紋画像をページデータ格納部１３０に書きこむ（Ｓ２０２）。図６の（Ｓ２０１）は、地紋画像格納部１２０に格納された地紋画像がページデータ格納部１３０ａに書き込まれた様子を示している。
【００４８】
次に、主画像格納部１１０に格納された主画像を加工する（Ｓ２０２）。この加工処理は、例えば、ＲＡＭ上の作業領域において行なうようにする。主画像の加工では、主画像を構成する各ドットについて、透過率を設定する。具体的には、白のドットは透過率１００％の属性を設定し、白以外のドットは透過率０％の属性を設定する。図３の（Ｓ１０２）は、主画像格納部１１０に格納された主画像を加工した様子を示している。なお、本処理（Ｓ２０２）では、実際に主画像を加工せずに、ドットの色に応じて透過率を指定するコマンドを発行するようにしてもよい。
【００４９】
そして、加工後の主画像をページデータ格納部１３０に書き込む（Ｓ２０３）。主画像を構成するドットのうち、白色のドットは、透過率１００％が設定されているため地紋画像が残り、白色以外のドットは、透過率０％が設定されているため地紋画像に完全に上書きされる。
【００５０】
図６の（Ｓ２０３）は、地紋画像が書き込まれているページデータ格納部１３０ａに透過率が設定された主画像を書き込んだときのページデータ格納部１３０ｂの様子を示している。
【００５１】
以上の処理の結果、ページデータ格納部１３０に書き込まれている画像は、地紋画像に主画像を重ねた画像であり、しかも地紋画像は、主画像に影響を与えることなく書き込まれている。
【００５２】
そして、ページデータ格納部１３０に書き込まれているＲＧＢ形式で表わされた画像をＣＭＹＫ形式に変換する（Ｓ２０４）。さらに、スクリーン処理を施して（Ｓ２０５）、印刷データとしてプリンタに出力する（Ｓ２０６）。このように、本実施例でも、地紋画像に主画像を重ねた後にスクリーン処理を施すようにしている。
【００５３】
コンピュータ１００から送られた印刷データをプリンタ２００の印刷制御部２１０が解釈し、印刷実行部２２０で印刷を実行することで、主画像に影響を与えることなく地紋画像が書き込まれた地紋印刷結果を得ることができる。
【００５４】
なお、第２の実施例においても、第１の実施例と同様に、プリンタ２００側で主画像と地紋画像との重ね合わせを行なう変形例が可能である。
【図面の簡単な説明】
【００５５】
【図１】印刷システムの第１の実施例における機能構成を説明するためのブロック図。
【図２】第１の実施例における印刷システムの地紋印刷処理について説明するフロー図。
【図３】第１の実施例における印刷システムの地紋印刷処理について説明する図。
【図４】第１の実施例の変形例における機能構成を説明するためのブロック図。
【図５】第２の実施例における印刷システムの地紋印刷処理について説明するフロー図。
【図６】第２の実施例における印刷システムの地紋印刷処理について説明する図。
【符号の説明】
【００５６】
１００…コンピュータ、１１０…主画像格納部、１２０…地紋画像格納部、１３０…ページデータ格納部、１４０…地紋印刷制御部、１５０…地紋印刷管理部、１６０…主画像描画データ、１７０…地紋画像描画データ、２００…プリンタ、２１０…印刷制御部、２１０…印刷実行部、２１１…印刷制御部、２１１…地紋印刷制御部、２１２…主画像格納部、２１３…地紋画像格納部、２１４…ページデータ格納部、２２０…印刷実行部
【図１】
2007097086.tif 000003
【図２】
2007097086.tif 000004
【図３】
2007097086.tif 000005
【図４】
2007097086.tif 000006
【図５】
2007097086.tif 000007
【図６】
2007097086.tif 000008